(57)【要約】【課題】第１の筐体と第２の筐体との開閉角度に応じて、読取対象の紙媒体を明るく鮮明に撮影できるようにする。【解決手段】タブレット端末装置１１は、第１の筐体１３ａに配置されている読取対象の紙媒体１２を第２の筐体１３ｂに設けられた撮像部６により撮影する際に、バインダ１３を構成する第１の筐体１３ａと第２の筐体１３ｂとの角度が開閉角度センサ９によって検出されると、その開閉角度に応じてタッチ表示部５を照明するバックライトの輝度を制御する。【選択図】  図３
2014002627.tif 000002
【特許請求の範囲】
【請求項１】
第１の筐体と第２の筐体とを開閉可能に連結した情報処理装置であって、
読取対象の紙媒体が配置される前記第１の筐体に対向して前記第２の筐体に設けられた撮像手段と、
前記撮像手段により前記紙媒体を撮影する際に、前記第１の筐体と第２の筐体との開閉角度を検出する角度検出手段と、
前記第２の筐体に設けられた発光体を駆動する駆動手段と、
前記角度検出手段により検出された開閉角度に応じて前記発光体の輝度を制御する輝度制御手段と、
を備えたことを特徴とする情報処理装置。
【請求項２】
前記発光体は、前記第２の筐体に設けられた表示部を照明するバックライトであり、
前記輝度制御手段は、前記角度検出手段により検出された開閉角度に応じて前記バックライトの輝度を制御する、
ようにしたことを特徴とする請求項１に記載の情報処理装置。
【請求項３】
前記表示部に白色の塗りつぶし画像を表示させる表示制御手段を更に備え、
前記輝度制御手段は、前記表示制御手段によって前記表示部に白色の塗りつぶし画像が表示されている状態において前記バックライトの輝度を制御する、
ようにしたことを特徴とする請求項２に記載の情報処理装置。
【請求項４】
前記輝度制御手段は、前記角度検出手段により検出された開閉角度に応じて前記バックライトの輝度を制御する場合に、前記表示部の全面を照明する場合に部分的に明るさが異なるように前記バックライトの輝度を制御する、
ようにしたことを特徴とする請求項２あるいは請求項３に記載の情報処理装置。
【請求項５】
前記輝度制御手段は、前記第１の筐体と第２の筐体とを開閉可能に連結するヒンジ部の近くに配設された内側バックライトと、前記ヒンジ部から離れて配設された外側バックライトのうち、前記角度検出手段により検出された開閉角度に応じて前記バックライトの輝度を制御する場合に、前記内側バックライトの方が前記外側バックライトよりも輝度が高くなるように前記複数のバックライトの輝度を制御する、
ようにしたことを特徴とする請求項４に記載の情報処理装置。
【請求項６】
前記バックライトは、発光ダイオードである、
ことを特徴とする請求項２〜請求項５のいずれかに記載の情報処理装置。
【請求項７】
前記表示部の周辺照度を検出する照度検出手段を更に備え、
前記輝度制御手段は、前記角度検出手段により検出された開閉角度と前記照度検出手段によって検出された周辺照度に応じて前記発光体の輝度を制御する、
ようにしたことを特徴とする請求項１に記載の情報処理装置。
【請求項８】
前記撮像手段により前記紙媒体を撮影する際に、前記角度検出手段により検出された開閉角度が前記紙媒体を撮影することが可能な撮影可能範囲内か否かを判別する判別手段を更に備え、
前記輝度制御手段は、前記判別手段により撮影可能範囲内であることが判別された際に、前記発光体の輝度を制御する、
ようにしたことを特徴とする請求項１に記載の情報処理装置。
【請求項９】
コンピュータに対して、
読取対象の紙媒体が配置される第１の筐体に対向し、かつ前記第１の筐体に開閉可能に連結されている第２の筐体に設けられた撮像手段により前記紙媒体を撮影する場合において、前記第１の筐体と第２の筐体との開閉角度を検出する機能と、
前記第２の筐体に設けられた発光体を駆動する機能と、
前記検出された開閉角度に応じて前記発光体の輝度を制御する機能と、
を実現させるためのプログラム。
【発明の詳細な説明】
【技術分野】
【０００１】
本発明は、紙媒体（例えば、ノートブックや書籍）に記載されている情報を撮影する撮像手段を備えた情報処理装置及びプログラムに関する。
【背景技術】
【０００２】
一般に、紙媒体（例えば、ノートブックや書籍）に記載されている情報を読み取る画像読取装置としては、その紙媒体をスキャナで走査することによってイメージデータとして読み取ったり、デジタルカメラで撮影することによって撮影画像として読み取ったりするようにしている。そして、従来、紙媒体をデジタルカメラによって読み取る技術としては、例えば、第１の筺体と第２の筺体とがヒンジ部を介して回動可能（開閉可能）に取り付けられているノートパソコンにおいて、第１の筺体のキートップに資料を置き、撮像部を備えた第２の筺体がキートップの全体を撮影可能となる位置で所定時間保持されたときに、撮像部を動作させて資料の撮影を開始するようにした技術が提案されている（特許文献１参照）。
【先行技術文献】
【特許文献】
【０００３】
【特許文献１】特開２０１１−７６２６７号公報
【発明の概要】
【発明が解決しようとする課題】
【０００４】
しかしながら、上述した特許文献１の技術にあっては、キートップ上に置いた資料を撮影するためには、第１の筺体と第２の筺体とを所定のヒンジ角度に厳密に調整する必要がある。また、第１の筺体と第２の筺体との角度によっては、第２の筺体の奥の方まで、つまり、ヒンジ部の付近まで外光が入り難くなって撮影画像全体が暗くなってしまうために、ノートパソコンを光源に向けたり、光源に近づけたりして撮影を行う必要があった。
【０００５】
本発明の課題は、第１の筐体と第２の筐体との開閉角度に応じて、読取対象の紙媒体を明るく鮮明に撮影できるようにすることである。
【課題を解決するための手段】
【０００６】
上述した課題を解決するために本発明の情報処理装置は、
第１の筐体と第２の筐体とを開閉可能に連結した情報処理装置であって、
読取対象の紙媒体が配置される前記第１の筐体に対向して前記第２の筐体に設けられた撮像手段と、
前記撮像手段により前記紙媒体を撮影する際に、前記第１の筐体と第２の筐体との開閉角度を検出する角度検出手段と、
前記第２の筐体に設けられた発光体を駆動する駆動手段と、
前記角度検出手段により検出された開閉角度に応じて前記発光体の輝度を制御する輝度制御手段と、
を備えたことを特徴とする情報処理装置である。
【０００７】
上述した課題を解決するために本発明のプログラムは、
コンピュータに対して、
読取対象の紙媒体が配置される第１の筐体に対向し、かつ前記第１の筐体に開閉可能に連結されている第２の筐体に設けられた撮像手段により前記紙媒体を撮影する場合において、前記第１の筐体と第２の筐体との開閉角度を検出する機能と、
前記第２の筐体に設けられた発光体を駆動する機能と、
前記検出された開閉角度に応じて前記発光体の輝度を制御する機能と、
を実現させるためのプログラムである。
【発明の効果】
【０００８】
本発明によれば、第１の筐体と第２の筐体との開閉角度に応じて、読取対象の紙媒体を明るく鮮明に撮影することができる。
【図面の簡単な説明】
【０００９】
【図１】情報処理装置として適用したカメラ付きタブレット端末装置の基本的な構成要素を示したブロック図。
【図２】カメラ付きタブレット端末装置１１、紙媒体１２をバインダ１３に装着した状態における外観斜視図。
【図３】バインダ１３を構成する第１の筐体１３ａと第２の筐体１３ｂとを閉じる際に撮像部６によって紙媒体１２を撮影したときの撮影画角と紙媒体１２との関係を示した図。
【図４】複数個のバックライト５ｃの配設状態を示した図。
【図５】第１の筐体１３ａと第２の筐体１３ｂとの角度が開閉角度センサ９によって検出された場合に、その開閉角度に応じてバックライト５ｃの輝度が制御される様子を説明するための図。
【図６】輝度テーブル３ｃを説明するための図。
【図７】タブレット端末装置１１の全体動作のうち、本実施形態の特徴部分の動作概要を示したフローチャート。
【図８】本実施形態の変形例を説明するための図で、撮影画像を解析することにより第１の筐体１３ａと第２の筐体１３ｂとの角度を検出する場合を説明するための図。
【発明を実施するための形態】
【００１０】
以下、図１〜図７を参照して本発明の実施形態を説明する。
本実施形態は、情報処理装置として撮像機能（デジタルカメラ）を備えたタブレット端末装置に適用した場合を例示したもので、図１は、このカメラ付きタブレット端末装置の基本的な構成要素を示したブロック図である。
タブレット端末装置は、その筐体全体が、例えば、Ａ５サイズの携帯型情報端末装置であり、タッチ入力機能、無線通信機能などの基本機能のほか、後で詳述するが、このタブレット端末装置に接近配置されている紙媒体（例えば、ノート、リポート用紙、書籍など）を撮影することによりその紙媒体に記載されている情報（文字や図表など）を光学的に読み取る画像読取機能を備えている。本実施形態において、紙媒体とは、撮影すべき情報が記載されている媒体を示すものであり、素材が紙であることを特定するものではない。即ち、本実施形態において、紙媒体とは情報が記載されている被写体を意味している。また、本実施形態において、紙媒体には、情報を電子的に表示可能な電子ペーパーも含まれる。
【００１１】
制御部１は、電源部（二次電池）２からの電力供給によって動作し、記憶部３内の各種のプログラムに応じてこのタブレット端末装置の全体動作を制御するもので、この制御部１には図示しないＣＰＵ（中央演算処理装置）やメモリなどが設けられている。記憶部３は、例えば、ＲＯＭ、フラッシュメモリなどを有する構成で、図７に示した動作手順に応じて本実施形態を実現するためのプログラムや各種のアプリケーションなどが格納されているプログラムメモリ３ａと、このタブレット端末装置が動作するために必要となる各種の情報（例えば、フラグなど）を一時的に記憶するワークメモリ３ｂと、後述する輝度テーブル３ｃなどを有している。なお、記憶部３は、例えば、ＳＤカード、ＩＣカードなど、着脱自在な可搬型メモリ（記録メディア）を含む構成であってもよく、図示しないが、通信機能を介してネットワークに接続されている状態においては所定のサーバ装置側の記憶領域を含むものであってもよい。
【００１２】
操作部４は、押しボタン式のキーとして、図示省略したが、電源をオン／オフさせる電源キーなどを備え、制御部１は、この操作部４から操作キーに対応して出力される入力操作信号に応じた処理を行う。タッチ表示部５は、表示パネル５ａにタッチパネル５ｂを積層配設した構成で、表示パネル５ａは、縦横比（例えば、横４：縦３）の異なる画面を有した高精細液晶ディスプレイであり、この表示パネル５ａの背面側には照明用の複数個のバックライト５ｃが配設されている。この複数個のバックライト５ｃは、例えば、３色（赤、緑、青）ＬＥＤ（発光ダイオード）あるいは白色ＬＥＤによって構成されたもので、その輝度は輝度コントロール部５ｄによって制御される。タッチパネル５ｂは、撮影者の指などでタッチ操作された位置を検知してその座標データを入力するタッチスクリーンを構成するもので、例えば、静電容量方式あるいは抵抗皮膜方式を採用しているが、その他の方式であってもよい。
【００１３】
撮像部６は、画像読取機能を構成するもので、図示省略したが、光学レンズからの被写体像が撮像素子（ＣＣＤやＣＭＯＳなど）に結像されることにより被写体を高精細に撮影可能なデジタルカメラ部で、撮影レンズ、撮像素子、各種のセンサ、アナログ処理部、デジタル処理部を有している。撮像部６は、オートフォーカス機能などを備え、画像読取機能の動作時に、例えば、フレームレートが秒１５コマ（１５ｆｐｓ）の連続撮影（高速撮影）が可能となっている。無線ＬＡＮ（Local  Area  Network）通信部７は、高速大容量の通信が可能な無線通信モジュールで、最寄りの無線ＬＡＮルータ（図示省略）を介してインターネットに接続可能となっている。
【００１４】
周辺照度センサ８、開閉角度センサ９については、後で詳述するが、周辺照度センサ８は、表示パネル５ａの周辺の明るさを検出するための照度センサであり、制御部１は、この周辺照度センサ８によって検出された周辺照度に応じてバックライト５ｃの輝度を制御（調光）するようにしている。開閉角度センサ９は、後述する開閉可能な筐体の開閉角を検出するセンサであり、制御部１は、この開閉角度センサ９によって検出された開閉角に応じてバックライト５ｃの輝度を制御するようにしている。
【００１５】
図２は、カメラ付きタブレット端末装置１１、紙媒体１２をバインダ１３に装着した状態における外観斜視図である。
タブレット端末装置１１と紙媒体（例えば、ノート、リポート用紙、書籍）１２とは、バインダ１３に装着されている。バインダ１３は、第１の筐体１３ａと第２の筐体１３ｂとをヒンジ部１３ｃを介して見開き状に開閉可能となるように取り付けた構成で、図示の例では、右側に第１の筐体１３ａが配置され、左側に第２の筐体１３ｂが配置されている。なお、第１の筐体１３ａと第２の筐体１３ｂとは、図示の場合とは逆の関係であってもよい。第１の筐体１３ａ及び第２の筐体１３ｂは、厚い平板状長方形（同形同大）の紙部材（厚紙）で、縦長の第１の筐体１３ａ及び第２の筐体１３ｂを左右に配置した状態においてヒンジ部１３ｃを介して開閉可能に連結されている。即ち、第１の筐体１３ａと第２の筐体１３ｂとは、ヒンジ部１３ｃを回転軸として開閉可能に構成されている。
【００１６】
そして、第１の筐体１３ａと第２の筐体１３ｂとは、図示のように１８０°開いた状態から第１の筐体１３ａの上に第２の筐体１３ｂが重なり合う状態（完全に閉じた状態）まで開閉可能なもので、ユーザにあってはバインダ１３を１８０°開いた状態においてタブレット端末装置１１を使用したり、紙媒体１２に文字や図表などを書き入れたりするようにしている。また、タブレット端末装置１１及び紙媒体１２を使用しないときには、第１の筐体１３ａと第２の筐体１３ｂとを閉じてバインダ１３を完全に閉じるようにしている。
【００１７】
タブレット端末装置１１は、その全体が薄型の直方体で、バインダ１３を構成する第２の筐体１３ｂ上に装着されていると共に、縦長の第２の筐体１３ｂに対してタブレット端末装置１１も縦長となる向きに配設されている。また、バインダ１３を構成する他方の筐体（第１の筐体）１３ａ上には紙媒体１２が配置されている。紙媒体１２は、一枚のシート状の用紙であってもよいし、書籍のように冊子の状態（製本状態）であってもよい。なお、バインダ１３上において、タブレット端末装置１１と紙媒体１２との配置関係は、上述とは逆の関係であってもよい。また、タブレット端末装置１１、紙媒体１２は、バインダ１３に着脱可能に装着されているが、その装着の仕方は、例えば、留め具、フックを使用するなど、任意である。
【００１８】
このようにバインダ１３の第２の筐体１３ｂにタブレット端末装置１１が装着されている状態において、タブレット端末装置１１のタッチ表示部５及び撮像部６は、タブレット端末装置１１の表面側に位置するように配設され、更に撮像部６と周辺照度センサ８は、表面側の一端中央部（図示の例では表面左端中央部）に位置するように配設されている。また、ヒンジ部１３ｃには開閉角度センサ９が配設されている。この開閉角度センサ９は、第１の筐体１３ａと第２の筐体１３ｂとを開閉可能に連結するヒンジ部１３ｃに設けられ、第１の筐体１３ａと第２の筐体１３ｂとの開閉角度を検出するもので、例えば、ヒンジ部１３ｃの軸（図示省略）が一定量回転する毎に２相のパルスを出力するロータリーエンコーダによって構成されたり、ホール素子あるいは磁気抵抗素子を使用して開閉検出を行う磁気センサによって構成されたりしている。
【００１９】
図３は、バインダ１３を構成する第１の筐体１３ａと第２の筐体１３ｂとを閉じる際に撮像部６によって紙媒体１２を撮影したときの撮影画角と紙媒体１２との関係を示した図である。
制御部１は、第１の筐体１３ａと第２の筐体１３ｂとの開閉角度が例えば、１２５°〜３０°の範囲（撮影可能な範囲）において、バインダ１３を閉じる動作（開閉角度センサ９によって検出された開閉角度）に応じて、撮像部６のオートフォーカス機能を連動（追従）させて紙媒体１２にフォーカスを合わせるようにしている。
【００２０】
図４は、複数個のバックライト５ｃの配設状態を示した図である。
複数個のバックライト５ｃは、表示パネル５ａの背面側においてその直下に配設されたもので、縦横比の異なる表示パネル５ａの長手方向（横方向）に沿って４列配列となっている。すなわち、第１の筐体１３ａと第２の筐体１３ｂとを連結するヒンジ部１３ｃ側に近い位置に配設された２列の内側バックライト５ｃと、ヒンジ部１３ｃから離れた位置に配設された２列の外側バックライト５ｃとを有し、この４列のバックライト５ｃは、表示パネル５ａの背面全体にゆきわたっている。輝度コントロール部５ｄは、開閉角度センサ９によって検出された開閉角度に応じて複数個のバックライト５ｃの輝度を制御するようにしているが、その際、２列の内側バックライト５ｃと外側バックライト５ｃとに分けてそれらの輝度を制御するようにしている。
【００２１】
図５は、開閉角度センサ９によって検出された開閉角度に応じてバックライト５ｃの輝度を制御する様子を説明するための図である。
図５（１）は、第１の筐体１３ａと第２の筐体１３ｂとの開閉角度が７０°の場合を示し、図５（２）は、その開閉角度が３０°の場合を示している。この場合、輝度コントロール部５ｄは、その開閉角度が小さくなればなるほど、バックライト５ｃの輝度が高くなるように制御するようにし、また、開閉角度が同じであれば、内側バックライト５ｃの方が外側バックライト５ｃよりも輝度を高くなるように制御するようにしている。
【００２２】
図６は、輝度テーブル３ｃを説明するための図である。
輝度テーブル３ｃは、開閉角度センサ９によって検出された開閉角度及び周辺照度センサ８によって検出された周辺光の変化に応じてバックライト５ｃの輝度を制御する際に参照されるテーブルで、角度輝度テーブル３ｃ−１、照度輝度テーブル３ｃ−２を有している。制御部１は、開閉角度センサ９によって検出された開閉角度に応じて角度輝度テーブル３ｃ−１を参照した後、周辺照度センサ８によって検出された周辺照度に応じて照度輝度テーブル３ｃ−２を参照するようにしている。
【００２３】
角度輝度テーブル３ｃ−１は、開閉角度センサ９によって検出された開閉角度に対応付けて内側バックライト５ｃ及び外側バックライト５ｃの輝度値を記憶する構成で、「開閉角度」、「内側バックライト輝度」、「外側バックライト輝度」の各項目を有している。図示の例において「開閉角度」の“３０°〜”、“３５°〜”、…、“１２０°〜”、“〜１２５°〜”は、撮影可能な範囲（例えば、１２５°〜３０°の範囲）を５°刻みで分けた場合を示し、この５°刻み毎に対応して「内側バックライト輝度」、「外側バックライト輝度」にはその輝度値が記憶されている。
【００２４】
すなわち、「内側バックライト輝度」には、５°刻みの開閉角度の変化に対応付けて内側バックライト５ｃをどのような輝度で点灯させるかの輝度値が記憶され、また、「外側バックライト輝度」には、５°刻みの開閉角度の変化に対応付けて外側バックライト５ｃをどのような輝度で点灯させるかの輝度値が記憶されている。この場合、「内側バックライト輝度」、「外側バックライト輝度」は、開閉角度が小さくなればなるほど、その値が大きくなるように設定され、また、開閉角度が同じであれば、内側バックライト５ｃの方が外側バックライト５ｃよりも輝度を大きくなるように設定されている。
【００２５】
照度輝度テーブル３ｃ−２は、周辺照度センサ８によって検出された周辺光の変化に応じて内側バックライト５ｃ、外側バックライト５ｃの輝度増減率を記憶する構成で、「周辺照度」、「輝度増減率」の各項目を有し、図示の例では、「周辺照度」には、標準的な明るさを（所定の閾値）を基準として“明るさ大”、“明るさ中”、“明るさ小”が記憶されている。「輝度増減率」は、角度輝度テーブル３ｃ−１を参照することによって得られた「内側バックライト輝度」、「外側バックライト輝度」を周辺照度に応じて増減率を記憶するもので、「輝度増減率」には、標準的な明るさを増減する値として、“３０％減”、“増減なし”、“３０％増”が記憶されている。
【００２６】
次に、本実施形態におけるタブレット端末装置１１の動作概念を図７に示すフローチャートを参照して説明する。ここで、このフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
【００２７】
図７は、タブレット端末装置１１の全体動作のうち、本実施形態の特徴部分の動作概要を示したフローチャートであり、電源投入に応じて実行開始される。
先ず、制御部１は、電源投入操作（電源オン操作）に応じてメモリなどをクリアする初期化処理を行うと共に、露出などの撮影条件を撮像部６に設定して撮影を開始させ、更には、バックライト５ｃの照明効果を高めるために、タッチ表示部５の表示パネル５ａに白色の塗りつぶし画像を表示させる（ステップＳ１）。
【００２８】
そして、制御部１は、電源オフ操作が行われたかを調べ（ステップＳ２）、電源オフ操作が行われなければ（ステップＳ２でＮＯ）、開閉角度センサ９から第１の筐体１３ａと第２の筐体１３ｂとの開閉角度を取得し（ステップＳ３）、その開閉角度は撮影可能範囲（例えば、１２５°〜３０°の範囲）であるかを調べる（ステップＳ４）。なお、撮影可能範囲は、１２５°〜３０°の範囲に限らず、１１０°〜１５°の範囲などであってもよく、どのような範囲を設定するかは、紙媒体１２の大きさや文字サイズなどを考慮して、予めユーザ操作により任意に設定可能としてもよい。
【００２９】
いま、開閉角度が撮影可能な範囲から外れているときには（ステップＳ４でＮＯ）、例えば、開閉角度が１８０°であれば、バインダ１３を１８０°開いた状態においてタブレット端末装置１１を使用したり、紙媒体１２に文字や図表などを書き入れたりしている場合であり、また、開閉角度が０°であれば、バインダ１３を完全に閉じている場合であり、このような場合には、上述のステップＳ２に戻って電源オフ操作が行われたかを調べる。また、開閉角度が撮影可能な範囲（例えば、１２５°〜３０°の範囲）内であれば（ステップＳ４でＹＥＳ）、その開閉角度に応じて角度輝度テーブル３ｃ−１を参照することにより、５°刻みの開閉角度に対応付けられている「内側バックライト輝度」、「外側バックライト輝度」の輝度値を読み出す（ステップＳ５）。例えば、開閉角度が７５°〜７０°であれば、それに対応する「内側バックライト輝度」及び「外側バックライト輝度」からその輝度値をそれぞれ読み出す。
【００３０】
そして、周辺照度センサ８から表示パネル５ａの周辺の照度を取得し（ステップＳ６）、この周辺照度に応じて照度輝度テーブル３ｃ−２を参照することにより、“明るさ大”、“明るさ中”、“明るさ小”に対応する“輝度増減値”を読み出す（ステップＳ７）。これによって角度輝度テーブル３ｃ−１から読み出した「内側バックライト輝度」、「外側バックライト輝度」の輝度値を、照度輝度テーブル３ｃ−２から読み出した“輝度増減値”に基づいて増減させる処理を行う（ステップＳ８）。この場合、周辺照度が“明るさ小”であれば、角度対応の「内側バックライト輝度」、「外側バックライト輝度」を“３０％”増大させ、“明るさ大”であれば、角度対応の「内側バックライト輝度」、「外側バックライト輝度」を“３０％”減少させる。
【００３１】
これによって算出（増減）された「内側バックライト輝度」の輝度値を輝度コントロール部５ｄに与えて内側バックライト５ｃをその輝度に応じて点灯させると共に（ステップＳ９）、「外側バックライト輝度」を輝度コントロール部５ｄに与えて外側バックライト５ｃをその輝度に応じて点灯させる（ステップＳ１０）。この状態において撮像部６によって撮影された１フレーム分の撮影画像を取得し（ステップＳ１１）、この取得画像を保存候補として記憶部３に一時記憶させる（ステップＳ１２）。
【００３２】
そして、開閉角度センサ９によって検出された開閉角度は撮影可能範囲の下限値を超える“３０°”未満かを調べ（ステップＳ１３）、撮影可能範囲の下限値を超えていなければ（ステップＳ１３でＮＯ）、上述のステップＳ２に戻る。以下、上述の動作を繰り返す結果、バインダ１３を閉じる（開閉角度が狭くなる）にしたがってバックライト５ｃの輝度が高くなり、開閉角度が同じであれば、内側バックライト５ｃの方が外側バックライト５ｃよりも輝度を高くなり、更に周辺照度に応じてバックライト５ｃの輝度が増減される。ここで、電源オフ操作が行われたときには（ステップＳ２でＹＥＳ）あるいは撮影可能範囲の下限値を超えたときには（ステップＳ１３でＹＥＳ）、撮像部６の動作を停止させると共にバックライト５ｃを消灯させ（ステップＳ１４）、更に電源をオフする処理を行う（ステップＳ１５）。その後、図７のフローから抜ける。なお、ユーザは、一時記憶されている保存候補の各撮影画像の中から所望の画像を適宜選択し、その選択画像のみを記録保存するようにしてもよい。
【００３３】
以上のように、本実施形態においてタブレット端末装置１１は、第１の筐体１３ａに配置されている読取対象の紙媒体１２を第２の筐体１３ｂに設けられた撮像部６により撮影する際に、バインダ１３を構成する第１の筐体１３ａと第２の筐体１３ｂとの角度が開閉角度センサ９によって検出されると、その開閉角度に応じて発光体の輝度を制御するようにしたので、特別な操作を行わなくても、第１の筐体１３ａと第２の筐体１３ｂとを閉めるだけで紙媒体１２をどのような開閉角度であっても明るく、かつ白とびや黒つぶれなどの現象もなく鮮明に撮影することができ、簡単かつ確実な撮影を実現することが可能となる。
【００３４】
発光体は、第２の筐体１３ｂに設けられたタッチ表示部５の表示パネル５ａを照明するバックライト５ｃであり、制御部１は、開閉角度センサ９により検出された開閉角度に応じてバックライト５ｃの輝度を制御するようにしたので、特別な発光体を設けなくても既存の発光体を利用して紙媒体１２を照明することができ、部品点数の増大を防ぐことができる。
【００３５】
制御部１は、タッチ表示部５の表示パネル５ａに白色の塗りつぶし画像を表示させた状態において、バックライト５ｃの輝度を制御するようにしたので、表示パネル５ａの黒表示などによってバックライト５ｃの明るさが部分的に減衰されることがなくなり、その輝度制御が容易となる。
【００３６】
開閉角度センサ９により検出された開閉角度に応じてバックライト５ｃの輝度を制御する場合に、表示パネル５ａの全面を照明する明るさが部分的に異なるようにバックライト５ｃの輝度を制御するようにしたので、開閉角度に関わらず、紙媒体１２の全体をむらなく良好に照明することが可能となる。
【００３７】
第１の筐体１３ａと第２の筐体１３ｂとを開閉可能に連結するヒンジ部１３ｃの近くに配設された内側バックライト５ｃの方が、ヒンジ部１３ｃから離れて配設された外側バックライト５ｃよりも輝度が高くなるように複数のバックライト５ｃの輝度を制御するようにしたので、開閉角度が狭くなるにしたがってヒンジ部１３ｃの近辺部分が遮光されて暗くなったとしてもその部分の照明を明るくすることができ、紙媒体１２の全体をむらなく良好に照明することが可能となる。
【００３８】
複数のバックライト５ｃをＬＥＤによって構成するようにしたので、３色（赤、緑、青）ＬＥＤであれば、色温度を調整することができ、その調整によって鮮明な撮影画像を得ることが可能となる。
【００３９】
周辺照度センサ８によって検出された表示パネル５ａの周辺照度に応じて照度輝度テーブル３ｃ−２を参照することにより発光体の輝度を制御するようにしたので、屋内、屋外、夜間、昼間などの周辺環境に合った制御が可能となり、より適切な明るさで紙媒体１２を照明することが可能となる。
【００４０】
紙媒体１２を撮影する際に、制御部１は、開閉角度センサ９によって検出された開閉角度が紙媒体１２を撮影することが可能な撮影可能範囲内であるか否かを判別し、撮影可能範囲内であることを条件に発光体の輝度を制御するようにしたので、その輝度制御を必要に応じて行うことができる。
【００４１】
なお、上述した実施形態においては、開閉角度センサ９によって開閉角度を検出するようにしたが、図８に示すように撮影画像を解析することによって開閉角度を検出するようにしてもよい。図８は、撮影画像を解析することによって開閉角度を検出する場合を説明するための図である。制御部１は、撮影画像を解析することにより第１の筐体１３ａの端部が画角線から外れた際にその端部の切れ方（端部の位置）を認識し、その端部の切れ方が所定の切れ方であるか否かに基づいて第１の筐体１３ａと第２の筐体１３ｂとの開閉角度を認識する。
【００４２】
すなわち、図示の例は、第１の筐体１３ａと第２の筐体１３ｂとの開閉角度に応じて第１の筐体１３ａの外郭線の映り具合が変化する様子を示した図である。ここで、第１の筐体１３ａの外郭線を示す実線は、閉じ角度が略７０°の場合を示し、一点破線は、閉じ角度が略９０°の場合を示し、二点破線は、閉じ角度が略１２５°の場合を示している。このように第１の筐体１３ａの端部が撮像部６の画角から外れた際の端部の切れ方、つまり、第１の筐体１３ａの端部と画角線とが交差する位置は、開閉角度に応じて変化するようになる。例えば、撮影画像の縦方向において、第１の筐体１３ａの端部と画角線とが交差する位置は、開閉角度が略７０°、略９０°、略１２５°の順にその縦方向中央部に近づくようになるため、その位置を特定することにより第１の筐体１３ａと第２の筐体１３ｂとの開閉角度の検出が可能となる。
【００４３】
上述した実施形態においては、２列の内側バックライト５ｃと外側バックライト５ｃとに分けてその輝度を制御するようにしたが、４列のバックライト５ｃをヒンジ部１３ｃからの距離に応じて１列毎にその輝度を制御するようにしてもよい。また、バックライト５ｃは、４列に限らず、その数は任意である。更に、上述した実施形態においては、複数個のバックライト５ｃを表示パネル５ａの背面側においてその直下に配設するようにしたが、表示パネル５ａの縁部分に複数個のバックライト５ｃを配設するようにしてもよい。更に、発光体としては、タッチ表示部５を照明するバックライト５ｃに限らず、専用の照明ライトであってもよい。
【００４４】
上述した実施形態においては、開閉角度センサ９により検出された開閉角度に応じてバックライト５ｃの輝度を制御する場合に、輝度テーブル３ｃ内の角度輝度テーブル３ｃ−１を参照し、また、周辺照度センサ８によって検出された表示パネル５ａの周辺照度に応じてバックライト５ｃの輝度を制御する場合に、輝度テーブル３ｃ内の照度輝度テーブル３ｃ−２を参照するようにしたが、その輝度値を所定の関数式に基づいて算出して制御するようにしてもよい。
【００４５】
上述した実施形態においては、情報処理装置としてタブレット端末装置１１に適用した場合を示したが、これに限らず、カメラ機能付きパーソナルコンピュータ・ＰＤＡ（個人向け携帯型情報通信機器）・デジタルカメラ・音楽プレイヤーなどであってもよく、勿論、デジタルカメラ自体であってもよい。
【００４６】
また、上述した各実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００４７】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
第１の筐体と第２の筐体とを開閉可能に連結した情報処理装置であって、
読取対象の紙媒体が配置される前記第１の筐体に対向して前記第２の筐体に設けられた撮像手段と、
前記撮像手段により前記紙媒体を撮影する際に、前記第１の筐体と第２の筐体との開閉角度を検出する角度検出手段と、
前記第２の筐体に設けられた発光体を駆動する駆動手段と、
前記角度検出手段により検出された開閉角度に応じて前記発光体の輝度を制御する輝度制御手段と、
を備えたことを特徴とする情報処理装置である。
（請求項２）
請求項２に記載の発明は、請求項１に記載の情報処理装置において、
前記発光体は、前記第２の筐体に設けられた表示部を照明するバックライトであり、
前記輝度制御手段は、前記角度検出手段により検出された開閉角度に応じて前記バックライトの輝度を制御する、
ようにしたことを特徴とする情報処理装置である。
（請求項３）
請求項３に記載の発明は、請求項２に記載の情報処理装置において、
前記表示部に白色の塗りつぶし画像を表示させる表示制御手段を更に備え、
前記輝度制御手段は、前記表示制御手段によって前記表示部に白色の塗りつぶし画像が表示されている状態において前記バックライトの輝度を制御する、
ようにしたことを特徴とする情報処理装置である。
（請求項４）
請求項４に記載の発明は、請求項２あるいは請求項３に記載の情報処理装置において、
前記輝度制御手段は、前記角度検出手段により検出された開閉角度に応じて前記バックライトの輝度を制御する場合に、前記表示部の全面を照明する場合に部分的に明るさが異なるように前記バックライトの輝度を制御する、
ようにしたことを特徴とする情報処理装置である。
（請求項５）
請求項５に記載の発明は、請求項４に記載の情報処理装置において、
前記輝度制御手段は、前記第１の筐体と第２の筐体とを開閉可能に連結するヒンジ部の近くに配設された内側バックライトと、前記ヒンジ部から離れて配設された外側バックライトのうち、前記角度検出手段により検出された開閉角度に応じて前記バックライトの輝度を制御する場合に、前記内側バックライトの方が前記外側バックライトよりも輝度が高くなるように前記複数のバックライトの輝度を制御する、
ようにしたことを特徴とする情報処理装置である。
（請求項６）
請求項６に記載の発明は、請求項２〜請求項５のいずれかに記載の情報処理装置において、
前記バックライトは、発光ダイオードである、
ことを特徴とする情報処理装置である。
（請求項７）
請求項７に記載の発明は、請求項１に記載の情報処理装置において、
前記表示部の周辺照度を検出する照度検出手段を更に備え、
前記輝度制御手段は、前記角度検出手段により検出された開閉角度と前記照度検出手段によって検出された周辺照度に応じて前記発光体の輝度を制御する、
ようにしたことを特徴とする請求項１に記載の情報処理装置である。
（請求項８）
請求項８に記載の発明は、請求項１に記載の情報処理装置において、
前記撮像手段により前記紙媒体を撮影する際に、前記角度検出手段により検出された開閉角度が前記紙媒体を撮影することが可能な撮影可能範囲内か否かを判別する判別手段を更に備え、
前記輝度制御手段は、前記判別手段により撮影可能範囲内であることが判別された際に、前記発光体の輝度を制御する、
ようにしたことを特徴とする情報処理装置である。
（請求項９）
請求項９に記載の発明は、
コンピュータに対して、
読取対象の紙媒体が配置される第１の筐体に対向し、かつ前記第１の筐体に開閉可能に連結されている第２の筐体に設けられた撮像手段により前記紙媒体を撮影する場合において、前記第１の筐体と第２の筐体との開閉角度を検出する機能と、
前記第２の筐体に設けられた発光体を駆動する機能と、
前記検出された開閉角度に応じて前記発光体の輝度を制御する機能と、
を実現させるためのプログラムである。
【符号の説明】
【００４８】
１  制御部
３  記憶部
３ａ  プログラムメモリ
３ｃ  輝度テーブル
３ｃ−１  角度輝度テーブル
３ｃ−２  照度輝度テーブル
４  操作部
５  タッチ表示部
５ａ  表示パネル
５ｃ  バックライト
５ｄ  輝度コントロール部
６  撮像部
８  周辺照度センサ
９  開閉角度センサ
１１  タブレット端末装置
１２  紙媒体
１３  バインダ
１３ａ  第１の筐体
１３ｂ  第２の筐体
１３ｃ  ヒンジ部
【図１】
2014002627.tif 000003
【図２】
2014002627.tif 000004
【図３】
2014002627.tif 000005
【図４】
2014002627.tif 000006
【図５】
2014002627.tif 000007
【図６】
2014002627.tif 000008
【図７】
2014002627.tif 000009
【図８】
2014002627.tif 000010